【手続補正書】
【提出日】平成19年6月7日(2007.6.7)
【手続補正１】
【補正対象書類名】明細書
【補正対象項目名】発明の名称
【補正方法】変更
【補正の内容】
【発明の名称】データ編集方法および情報記録システム装置
【手続補正２】
【補正対象書類名】明細書
【補正対象項目名】特許請求の範囲
【補正方法】変更
【補正の内容】
【特許請求の範囲】
【請求項１】  データが記録される情報記録媒体を用いたデータ編集方法であって、
前記データは、ＡＶデータを含み、セクタ単位で記録再生が行われ、
前記データ領域は連続した時間情報を有する前記ＡＶデータが記録される第１および第２連続領域を含み、前記ＡＶデータは、前記セクタ単位で前記時間情報を有し、
各連続領域の先頭のセクタと最後のセクタとを読出して前記先頭のセクタに対応する第１時間情報と、前記最後のセクタに対応する第２時間情報とを取得するステップと、
所定の編集点に対応する編集点セクタを読み出して、前記編集点セクタに対応する第３時間情報を取得する第２ステップと、
前記第１および第２連続領域のサイズと、前記第１、第２および第３時間情報とに基づいて、前記ＡＶデータの連続再生が可能か否かを判断する第３ステップとを包含するデータ編集方法。
【請求項２】  前記データ編集方法は、ファイル構造領域とデータ領域とを含むデータ構造を用いる方法であって、
前記ファイル構造領域は、前記ＡＶデータが記録される第１および第２連続領域を第１および第２エクステントとして前記エクステントの位置を表わす第１および第２割付記述子が記録される割付情報領域を含み、
前記第３ステップは、前記第１および第２エクステントの位置情報を表わす前記第１および第２割付記述子と、前記第１、第２および第３時間情報とに基づいて、前記ＡＶデータの連続再生が可能か否かを判断する、請求項１記載のデータ編集方法。
【請求項３】  前記データ領域は、前記第１および第２連続領域の位置を表わす情報が制御データの一部として記録される領域を含み、
前記第３のステップは、前記制御データに基づいて、前記第１および第２連続領域の位置を表わす情報を取得するステップを含む、請求項１記載のデータ編集方法。
【請求項４】  前記ファイル構造領域は、前記第１および第２エクステントの位置を表わすファイルエントリが記録される領域を含み、
前記第３ステップは、前記ファイルエントリに基づいて、前記第１および第２エクステントの位置を表わす情報を取得するステップを含む、請求項１記載のデータ編集方法。
【請求項５】  前記データ領域は、前記第１および第２エクステントの位置を表わす情報を含む制御データが記録される領域を含み、
前記第３ステップは、前記制御データに基づいて、前記第１および第２エクステントの位置を表わす情報を取得するステップを含む、請求項１記載のデータ編集方法。
【請求項６】  ファイル構造領域とデータ領域とを含むデータ構造を用いてデータが記録される情報記録媒体を用いて前記データを編集する情報記録システム装置であって、
前記データは、セクタ単位で記録再生が行なわれ、
前記データは、ＡＶデータを含み、
前記データ領域は、連続した時間情報を有する前記ＡＶデータが記録される第１および第２エクステントを含み、
前記ＡＶデータは、前記セクタ単位で前記時間情報を有し、
前記ファイル構造領域は、前記ＡＶデータが記録される第１および第２エクステントの位置を表わす第１および第２割付記述子が記録される割付情報領域を含み、
前記割付情報領域から前記第１および第２割付記述子を読み出し、前記第１および第２エクステントの位置情報を取得するＡＶファイル構造処置手段と、
各エクステントの先頭のセクタと最後のセクタとを読み出して、前記先頭のセクタに対応する第１時間情報と、前記最後のセクタに対応する第２時間情報とを取得するＡＶ割付構造処理手段とを備え、
前記ＡＶ割付構造処理手段は、所定の編集点に対応する編集点セクタを読み出して、前記編集点セクタに対応する第３時間情報を取得し、
前記ＡＶ割付構造処理手段は、前記第１および第２エクステントの位置を表わす前記第１および第２割付記述子と、前記第１、第２および第３時間情報とに基づいて、前記ＡＶデータの連続再生が可能か否かを判断する情報記録システム装置。
【手続補正３】
【補正対象書類名】明細書
【補正対象項目名】０００１
【補正方法】変更
【補正の内容】
【０００１】
【発明の属する技術分野】
本発明は、ＡＶ（オーディオビデオ）データをファイル構造により管理する情報記録媒体を用いたデータ編集方法および情報記録システム装置に関するものである。
【手続補正４】
【補正対象書類名】明細書
【補正対象項目名】００１８
【補正方法】変更
【補正の内容】
【００１８】
本発明は上記問題点に鑑み、ＡＶデータが記録された領域毎に、データレートを管理することができ、ＡＶデータの連続再生を保証しながら、ＡＶデータの編集を効率的に行なえる情報記録媒体を用いたデータ編集方法および情報記録システム装置を提供することを目的とする。
【手続補正５】
【補正対象書類名】明細書
【補正対象項目名】００１９
【補正方法】変更
【補正の内容】
【００１９】
【課題を解決するための手段】
本発明に係るデータ編集方法は、データが記録される情報記録媒体を用いたデータ編集方法であって、前記データは、ＡＶデータを含み、セクタ単位で記録再生が行われ、前記データ領域は連続した時間情報を有する前記ＡＶデータが記録される第１および第２連続領域を含み、前記ＡＶデータは、前記セクタ単位で前記時間情報を有し、各連続領域の先頭のセクタと最後のセクタとを読出して前記先頭のセクタに対応する第１時間情報と、前記最後のセクタに対応する第２時間情報とを取得するステップと、所定の編集点に対応する編集点セクタを読み出して、前記編集点セクタに対応する第３時間情報を取得する第２ステップと、前記第１および第２連続領域のサイズと、前記第１、第２および第３時間情報とに基づいて、前記ＡＶデータの連続再生が可能か否かを判断する第３ステップとを包含し、そのことにより上記目的が達成される。
【手続補正６】
【補正対象書類名】明細書
【補正対象項目名】００２０
【補正方法】変更
【補正の内容】
【００２０】
前記データ編集方法は、ファイル構造領域とデータ領域とを含むデータ構造を用いる方法であって、前記ファイル構造領域は、前記ＡＶデータが記録される第１および第２連続領域を第１および第２エクステントとして前記エクステントの位置を表わす第１および第２割付記述子が記録される割付情報領域を含み、前記第３ステップは、前記第１および第２エクステントの位置情報を表わす前記第１および第２割付記述子と、前記第１、第２および第３時間情報とに基づいて、前記ＡＶデータの連続再生が可能か否かを判断してもよい。
【手続補正７】
【補正対象書類名】明細書
【補正対象項目名】００２１
【補正方法】変更
【補正の内容】
【００２１】
前記データ領域は、前記第１および第２連続領域の位置を表わす情報が制御データの一部として記録される領域を含み、前記第３のステップは、前記制御データに基づいて、前記第１および第２連続領域の位置を表わす情報を取得するステップを含んでいてもよい。
【手続補正８】
【補正対象書類名】明細書
【補正対象項目名】００２２
【補正方法】変更
【補正の内容】
【００２２】
前記ファイル構造領域は、前記第１および第２エクステントの位置を表わすファイルエントリが記録される領域を含み、前記第３ステップは、前記ファイルエントリに基づいて、前記第１および第２エクステントの位置を表わす情報を取得するステップを含んでいてもよい。
【手続補正９】
【補正対象書類名】明細書
【補正対象項目名】００２３
【補正方法】変更
【補正の内容】
【００２３】
前記データ領域は、前記第１および第２エクステントの位置を表わす情報を含む制御データが記録される領域を含み、前記第３ステップは、前記制御データに基づいて、前記第１および第２エクステントの位置を表わす情報を取得するステップを含んでいてもよい。
【手続補正１０】
【補正対象書類名】明細書
【補正対象項目名】００２４
【補正方法】変更
【補正の内容】
【００２４】
本発明の情報記録システム装置は、ファイル構造領域とデータ領域とを含むデータ構造を用いてデータが記録される情報記録媒体を用いて前記データを編集する情報記録システム装置であって、前記データは、セクタ単位で記録再生が行なわれ、前記データは、ＡＶデータを含み、前記データ領域は、連続した時間情報を有する前記ＡＶデータが記録される第１および第２エクステントを含み、前記ＡＶデータは、前記セクタ単位で前記時間情報を有し、前記ファイル構造領域は、前記ＡＶデータが記録される第１および第２エクステントの位置を表わす第１および第２割付記述子が記録される割付情報領域を含み、前記割付情報領域から前記第１および第２割付記述子を読み出し、前記第１および第２エクステントの位置情報を取得するＡＶファイル構造処置手段と、各エクステントの先頭のセクタと最後のセクタとを読み出して、前記先頭のセクタに対応する第１時間情報と、前記最後のセクタに対応する第２時間情報とを取得するＡＶ割付構造処理手段とを備え、前記ＡＶ割付構造処理手段は、所定の編集点に対応する編集点セクタを読み出して、前記編集点セクタに対応する第３時間情報を取得し、前記ＡＶ割付構造処理手段は、前記第１および第２エクステントの位置を表わす前記第１および第２割付記述子と、前記第１、第２および第３時間情報とに基づいて、前記ＡＶデータの連続再生が可能か否かを判断し、そのことにより、上記目的が達成される。
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００７６
【補正方法】変更
【補正の内容】
【００７６】
【発明の効果】
本発明では、情報記録媒体は、ＡＶデータが記録された領域を、ＡＶファイル構造の中で、エクステントとして管理する事により、記録したＡＶデータの連続再生を保証する事が出来る。このため、ＡＶデータが記録されたすべてのセクタを読み出してその連続性を調べる必要が無く、エクステント毎に各エクステントの先頭と終端のセクタのみを読み出せば良く、ＡＶデータの編集が効率的に行なえる。また、ＡＶデータが記録された領域を、ＡＶファイル構造の中で、ユーザデータが記録できない物理的な領域とＡＶデータの連続性を考慮しながら、分割したエクステントとして管理する事により、記録したＡＶデータの連続再生を保証する事が出来る。